【事件の表示】
　特許第２７０３９６２号「撮像装置」の請求項１ないし３に係る特許に対する特許異議の申立てについて、次のとおり決定する。
【結論】
　訂正を認める。
　特許第２７０３９６２号の請求項１ないし３に係る特許を維持する。
【理由】
Ｉ　手続の経緯
　本件における手続の経緯は次のとおりである。
特許出願　　　　　　　昭和６３年１２月２７日
特許権設定登録　　　　平成９年１０月３日
特許異議の申立
▲１▼溝呂木寛による申立　平成１０年７月２７日
▲２▼大石俊弘による申立　平成１０年７月２７日
取消理由通知　　　　　平成１０年１１月３０日
訂正請求　　　　　　　平成１１年２月２２日
訂正拒絶理由　　　　　平成１１年３月８日
手続補正　　　　　　　平成１１年６月７日
ＩＩ　訂正請求の適否についての判断
１．手続補正の適否
　上記手続補正は、訂正明細書について、その特許請求の範囲を減縮かつ明瞭化すると共に、発明の詳細な説明をこれと整合させて明瞭化すべく、訂正請求書および同請求書添付の訂正明細書の記載内容を補正するものであるから、特許法第１３１条第２項で規定する請求の要旨を変更するものではない。
２．訂正請求の内容
　上記訂正請求は、訂正請求書の上記手続補正により補正された「訂正の要旨」に記載されるとおりの訂正事項ａ〜ｊに係る訂正を求めるものである。
３．訂正の目的の適否、明細書記載事項からの逸脱及び拡張・変更の存否
（１）上記訂正事項ａは、請求項１記載の構成中、
▲１▼「撮像手段によって形成された画像信号の一部領域を選択するための選択手段」について、上記画像信号の一部領域の選択が「読み出された画像信号をメモリに記憶し」、「ズーム比の切換え指示に応じて前記メモリからの画像信号の読出しスタートアドレス位置を切換える」ことによりなされるもので、その選択する一部領域が「画像信号の内の画面中央の一部領域のみ」であるとの限定事項を付し、
▲２▼「該選択手段によって選択された一部領域の画像信号を表示する表示手段」について、上記▲１▼での限定事項に整合させて、表示する一部領域が「前記画面中央の」一部領域であるとすると共に、その表示が「拡大して」なされるものである点を限定し、
▲３▼「前記選択手段によって選択された一部領域のみの画像信号に基づき前記選択手段によって選択された一部領域の画像信号のレベルが適正レベルとなるように前記撮像手段を制御する制御手段」について、上記▲１▼での限定事項と整合させて、上記選択された一部領域を「前記画面中央の」一部領域とし、かつ、上記撮像手段による制御が「一部領域のみの画像信号に基づき」なされるとの点を更に限定して「一部領域のみの画像信号に対応する領域の画像信号を前記メモリに入力される前の前記撮像手段出力からゲートし、このゲートされた画像信号に基づき」なされるものとし、また、上記撮像手段による制御によって「光学レンズによるズームアップと同様のズームアップ効果をメモリを用いて得ると共に適正レベルのズームアップ画面表示を得られるようにする］ことを明瞭化し、
　更に、請求項２記載の「前記制御手段は前記撮像手段に入射する光の量を調整する」との構成に、その具体的手段を示す「絞り及び前記撮像手段によって形成された画像信号のゲインを制御するゲイン制御アンプを含む」との限定事項を付すものであるから、同訂正事項ａは特許請求の範囲の減縮、および明瞭でない記載の釈明を目的とする訂正に該当する。
（２）上記訂正事項ｂ〜ｊは、いずれも上記訂正事項ａによる請求項１の訂正に伴い、発明の詳細な説明中の記載をこれと整合させて明瞭化するものであるから、明瞭でない記載の釈明を目的とする訂正に該当する。
（３）また、上記訂正事項ａ〜ｊは、いずれも明細書又は図面の記載範囲内のもので、実質的に特許請求の範囲を拡張、変更するものでもないことが認められる。
４．独立特許要件の判断
（１）訂正後の請求項１に係る発明について
ｉ）上記訂正後の請求項１に係る発明（以下本件第１発明という）は、上記手続補正により補正された訂正明細書の請求項１に記載されるとおりのものであるが、同発明は、上記訂正明細書の発明の詳細な説明に記載されるように、従来の電子ズーム機能付き撮像装置では、ズーミングに関わりなく、画面全体の撮像信号を用いて露出の制御（撮像手段の出力レベルを適正レベルとする制御）がなされているので、例えばズーミングによって明るい中心部分が拡大された際には画面全体が明るくなってしまい、反対に暗い中心部分が拡大された際には画面全体が暗くなってしまうという問題点があったので、その解決のために、上記請求項１記載の構成を採用したものであって、その要点は、撮像手段によって形成された画像信号の内の一部領域のみを選択して拡大して表示する（電子的にズームアップして表示する）に際し、上記一部領域のみの画像信号に基づく制御によって適正レベルのズームアップ画面表示が得られるようにしたものといえる。
　また、このようなズームアップ画面表示を得る上で、本件第１発明は、上記拡大表示すべき一部領域の画像信号を選択する選択手段として、撮像手段から出力された画像信号を一旦メモリに記憶し、このメモリの読出しスタートアドレス位置を切換えるようにした選択手段を採用すると共に、上記ズームアップ画面表示のレベルを適正化するための制御手段として、上記メモリに入力される前の撮像手段出力から上記選択手段によって選択された一部領域のみの画像信号に対応する領域の画像信号をゲートし、このゲートされた画像信号に基づいて上記レベルの適正化制御を行う制御手段を採用したものといえる。
ｉｉ）これに対し、当審での前記訂正拒絶理由通知で引用した特開昭６２−２９１２６９号公報（大石俊弘による異議申立の甲第２号証、以下刊行物１という）には、その第３頁左上欄７行〜第５頁左上欄９行、第５図〜第８図、及び第５頁右上欄１１〜１６行等の記載から明らかなように、本件第１発明の上記要点と同様のものといえる撮像装置、すなわち“撮像手段によって形成された画像信号の内の一部領域のみを選択して拡大して表示する（電子的にズームアップして表示する）に際し、上記一部領域のみの画像信号に基づく制御によって適正レベルのズームアップ画面表示が得られるようにした”撮像装置が開示されているといえる。
　しかしながら、刊行物１記載のものは、本件第１発明のような上記の選択手段と上記の制御手段を備えていない。刊行物１記載のものは、拡大表示すべき一部領域の画像信号の選択を撮像手段（ＣＣＤ撮像素子）自体で行い、撮像手段からは上記一部領域のみの画像信号が出力されるようにしたものであるから（上記第３頁〜５頁の記載）、もともと、本件第１発明のような上記選択手段と上記撮像手段出力のゲートを行う制御手段を必要としないものである。
　そうすると、本件第１発明は、上記選択手段と制御手段の採用において、刊行物１記載のものとは相違し、これら手段の採用は、刊行物１記載のものからは容易に想到されないものである。
　もっとも、本件第１発明で採用する上記選択手段（前記メモリを用いた一部領域の画像信号の選択手段）は、刊行物１でも従来技術として記述されているように（第５頁左下欄１３〜１５行）、電子ズーミング技術における周知手段といえるものであるから、この点をも考慮すると、刊行物１記載のものにおいて、撮像手段自体により上記一部領域の選択を行うのに代えて上記選択手段を採用することは容易に想到される事項といえる。
　しかしながら、そのようにした場合において、本件第１発明で企図するようなズームアップ画面表示レベルの適正化制御（ズームアップ表示される一部領域の画像信号のレベルを対応する一部領域の画像信号に基づいて適正化する制御）がなされるようにすることは、次のとおり容易に想到されるとはいえない。すなわち、刊行物１記載のものでも、上記の適正化制御と同様、ズームアップ表示される一部領域の画像信号のレベルを一部領域の画像信号に基づいて適正化する制御が行われているところではあるが、この制御は、上記一部領域の画像信号の選択が撮像手段自体でなされ、撮像手段から上記一部領域のみの画像信号が出力される結果なされるものであるから、撮像手段自体では上記一部領域の画像信号の選択を行わず上記選択手段で行うようにする場合にも上記本件第１発明のような適正化制御がなされるようにすることを示唆するものとはいえない。
　本件第１発明は、上記選択手段で上記一部領域の画像信号の選択を行う場合そのレベル制御が適正なものとはならないという前述の問題点を見出し、その解決のために上記撮像手段出力のゲートを行う制御手段を採用するものであるところ、そのような問題点やその解決のための上記制御手段の採用は、刊行物１記載のものでの認識範囲外の事項である。
　そうすると、刊行物１記載のものにおいて上記選択手段を採用することが上述のように容易に想到されるとしても、その場合に更に上記制御手段を採用することまで容易に想到されるとすることはできない。
ｉｉｉ）また、上記訂正拒絶理由で引用した特開昭５８−９７９６９号公報（大石俊弘による異議申立の甲第１号証、以下刊行物２という）には、ビデオカメラのアイリスコントロールや撮像出力のゲインコントロールを行うための制御信号発生回路が記載され（第１頁の特許請求の範囲）、この制御信号発生回路は、撮像画像の内の一部領域のみの画像信号に基づく制御信号を形成できるようにしたものであることが認められる（第２頁右上欄１９行〜同頁左下欄１７行参照）。しかしながら、この刊行物２記載のものでは、撮像画像の上記一部領域を電子的にズームアップするようなことは全く予定しておらず、したがって、本件第１発明のような上記問題点についての認識やその解決のための上記制御手段の採用を示唆するに足るものではない。
ｉｖ）更に、異議申立人溝呂木寛が提出した甲第１号証〜甲第３号証をみても、甲第１号証（特開昭５８−１７１１７８号公報、以下刊行物３という）記載のものは、電子式写真機において、撮影画像を電子的に拡大して表示したり、プリント、記憶できるようにしたというにすぎないものであり（特許請求の範囲の（１）〜（３）項）、甲第２号証（特開昭６２−１６３０３１号公報、以下刊行物４という）記載のものは、トリミング撮影が可能な力メラ（フィルム上に、撮影画面内のある狭い領域部分をプリント指定するための情報を記録できるようにしたカメラ）において、トリミング撮影モードが選択されたときには、平均測光手段と部分測光手段の内の部分測光手段が選択されるようにしたというものであり（特許請求の範囲の（１）項）、また甲第３号証（特開昭６２−２０３４８６号公報、以下刊行物５という）記載のものは、撮像映像信号を検波した検波信号に基づいて自動絞り調整を行う撮像装置において、逆光検出手段を設け、逆光が検出されたときには、その旨を表示したり、あるいは上記撮像映像信号から逆光の光源となる部分の映像信号を除去して、上記自動絞り調整のための検波信号を得るようにしたというもの（特許請求の範囲の（１），（２）項）であることが認められるから、これら刊行物３〜５の開示も、本件第１発明のような上記選択手段を用いて撮像手段出力から拡大表示すべき一部領域の画像信号を選択する場合の上記問題点についての認識やその解決のための上記制御手段の採用を示唆するに足るものではない。
ｖ）以上のように、刊行物１〜５の記載内容は、いずれも、本件第１発明のような上記問題点についての認識やその解決のための上記制御手段の採用を示唆するものとはいえないのであるから、これら各刊行物の記載内容、もしくはそれらの組合せから本件第１発明が容易に想到されるとすることはできない。
　また、他に本件第１発明が特許を受けることができないものであるすべき理由は見出せない。
ｖｉ）したがって、本件第１発明が特許出願の際独立して特許を受けることができないものであるとすることはできない。
（２）訂正後の請求項２，３に係る発明について
　訂正後の請求項２，３に係る発明は、本件第１発明（訂正後の請求項１に係る発明）を引用し、これに更に限定事項を付したものであるから、本件第１発明に対する上記（１）の理由と同様の理由により、特許出願の際独立して特許を受けることができないものであるとすることはできない。
５．まとめ
　以上のとおりであるから、本件で請求する訂正は、特許法第１２０条の４第２項、及び同条第３項で準用する同法第１２６条第２〜４項の規定に適合するものである。
ＩＩＩ　異議申立についての判断
　上記大石俊弘による異議申立は、訂正前の請求項１，２に係る各発明について、これら発明は上記刊行物１，２に記載された発明から容易に想到し得たものであることを理由として、また、上記溝呂木寛による異議申立は、訂正前の請求項１〜３に係る各発明について、これら発明は上記刊行物３〜５に記載された発明から容易に想到し得たものであることを理由として、これら発明に係る特許は特許法第２９条第２項の規定に違反しているとするものであるところ、これらの申立理由は、訂正後の請求項１〜３に係る発明については、前記ＩＩ、４．で判断したとおり理由がないものである。
　なお、上記大石俊弘による異議申立では、訂正前の請求項１，２に係る発明において、その“選択された一部領域の画像信号の表示”が電子ズームを行うもの（訂正後の請求項１，２に係る発明と同様のもの）に特定されたとしても、これら発明の“ズーミング時にも撮像信号レベルを適正なレベルに調整できるようにする”という課題は、ビデオカメラ等においてズームレンズの焦点距離に応じて撮像画面中の測光範囲を可変するという参考資料（特開昭６２−２１９７７８号公報）記載の測光装置の課題と変わりがないから、このような課題の解決のために刊行物１，２を組み合わせて上記各発明の構成を得ることは容易になし得た旨主張するところ、確かに、上記参考資料には上記主張のとおりの測光装置が記載され、同測光装置と上記各発明とは、ズーミング時にも適正な撮像信号のレベル調整がなされるようにするという課題の共通性を有するものと認めることができる。しかしながら、そのような共通性があるにしても、電子ズームを行う上記各発明における上記適正な撮像信号のレベル調整とは、前述したように、電子ズームを行うために選択される一部領域の画像信号について、該一部領域の画像信号のレベルを対応する一部領域の画像信号に基づいて制御するようになすというものであるから、上記参考資料記載のもののようなズームレンズによるズーミングを行う場合のものとの違いは明らかである。
　したがって、上記主張の点を考慮しても、訂正後の請求項１，２に係る発明が容易に想到し得たものであるとすることはできない。
ＩＶ　むすび
　以上のとおり、本件において請求する訂正は適法なものであり、また訂正後の請求項１〜３に係る各発明の特許について、本件の上記各異議申立はいずれも理由がないものである。
　また、他にこれら特許を取り消すべき理由を発見しない。
　よって、結論のとおり決定する。
【異議決定日】
平成１１年７月３０日（１９９９．７．３０）
【訂正の要旨】
▲１▼訂正事項ａ
　特許請求の範囲を以下の内容に訂正する。
「（１）光学像を電気的な画像信号に変換する撮像手段と、
該撮像手段によって形成され読み出された画像信号をメモリに記憶し、この記憶された画像信号の内の画面中央の一部領域のみを選択するように、ズーム比の切換え指示に応じて前記メモリからの画像信号の読出しスタートアドレス位置を切換える選択手段と、
該選択手段によって選択された前記画面中央の一部領域の画像信号を拡大して表示するための表示手段と、
前記選択手段によって選択された前記画面中央の一部領域のみの画像信号に対応する領域の画像信号を前記メモリに入力される前の前記撮像手段出力からゲートし、このゲートされた画像信号に基づき前記選択手段によって選択された前記画面中央の一部領域の画像信号のレベルが適正レベルとなるように前記撮像手段を制御することによって、光学レンズによるズームアップと同様のズームアップ効果をメモリを用いて得ると共に適正レベルのズームアップ画面表示を得られるようにする制御手段と、を有する撮像装置。
（２）前記制御手段は前記撮像手段に入射する光の量を調整する絞り及び前記撮像手段によって形成された画像信号のゲインを制御するゲイン制御アンプを含むことを特徴とする請求項（１）記載の撮像装置。
（３）前記制御手段は前記撮像手段における蓄積時間を制御することを特徴とする請求項（２）記載の撮像装置。」
▲２▼訂正事項ｂ
明細書第３頁第１１行〜第１５行の
「本発明〜を有する。」を、
「本発明の撮像装置は、光学像を電気的な画像信号に変換する撮像手段と、
該撮像手段によって形成され読み出された画像信号をメモリに記憶し、この記憶された画像信号の内の画面中央の一部領域のみを選択するように、ズーム比の切換え指示に応じて前記メモリからの画像信号の読出しスタートアドレス位置を切換える選択手段と、
該選択手段によって選択された前記画面中央の一部領域の画像信号を拡大して表示するための表示手段と、
前記選択手段によって選択された前記画面中央の一部領域のみの画像信号に対応する領域の画像信号を前記メモリに入力される前の前記撮像手段出力からゲートし、このゲートされた画像信号に基づき前記選択手段によって選択された前記画面中央の一部領域の画像信号のレベルが適正レベルとなるように前記撮像手段を制御することによって、光学レンズによるズームアップと同様のズームアップ効果をメモリを用いて得ると共に適正レベルのズームアップ画面表示を得られるようにする制御手段と、を有する。」と補正する。　　　　　　　　　　
▲３▼訂正事項ｃ
明細書第４頁第３行〜第１０行の
「以下に説明される〜勿論である。」を削除する。
▲４▼訂正事項ｃ
明細書第４頁第１２行の「の一実施例の」を「に関係する」と補正する。
▲５▼訂正事項ｄ
明細書第６頁第１３行、第８頁第６行、第９頁第１９行、第１０頁第１３行、第１７頁第４行の「実施」を削除する。
▲６▼訂正事項ｅ
明細書第１４頁第１４行、第１７頁第１１行の「他の」を削除する。
▲７▼訂正事項ｆ
明細書第１５頁第１４行の「実施例のうち第１図の実施」を「ように第１図の」と補正する。
▲８▼訂正事項ｇ
明細書第１６頁第７行〜第９行の「また、〜である。」を削除する。
▲９▼訂正事項ｈ
明細書第１６頁第１４行の「撮像素子」を「メモリ」と補正する。
▲１０▼訂正事項ｉ
明細書第１６頁第１６行の「調整」の前に「メモリへの入力前に」を加入する。
▲１１▼訂正事項ｊ
明細書第１６頁第２０行の「の一実施例」を「に関係するカメラの一例」と補正する。』
（５４）【発明の名称】
撮像装置
（５７）【特許請求の範囲】
（１）光学像を電気的な画像信号に変換する撮像手段と、
該撮像手段によって形成され読み出された画像信号をメモリに記憶し、この記憶された画像信号の内の画面中央の一部領域のみを選択するように、ズーム比の切換え指示に応じて前記メモリからの画像信号の読出しスタートアドレス位置を切換える選択手段と、
該選択手段によって選択された前記画面中央の一部領域の画像信号を拡大して表示するための表示手段と、
前記選択手段によって選択された前記画面中央の一部領域のみの画像信号に対応する領域の画像信号を前記メモリに入力される前の前記撮像手段出力からゲートし、このゲートされた画像信号に基づき前記選択手段によって選択された前記画面中央の一部領域の画像信号のレベルが適正レベルとなるように前記撮像手段を制御することによって、光学レンズによるズームアップと同様のズームアップ効果をメモリを用いて得ると共に適正レベルのズームアップ画面表示を得られるようにする制御手段と、を有する撮像装置。
（２）前記制御手段は前記撮像手段に入射する光の量を調整する絞り及び前記撮像手段によって形成された画像信号のゲインを制御するゲイン制御アンプを含むことを特徴とする請求項（１）記載の撮像装置。
（３）前記制御手段は前記撮像手段における蓄積時間を制御することを特徴とする請求項（２）記載の撮像装置。
【発明の詳細な説明】
〔産業上の利用分野〕
　本発明は撮像装置、特に撮像素子の出力レベルが適正なレベルになる様に調整する装置に関する。
〔従来の技術〕
　従来、例えばＭＯＳ型固体撮像素子と呼ばれる固体撮像素子においては、その読み出しエリアをかえることによってズーミングを行ういわゆる電子ズーム機能を有する素子が考えられている。
〔発明の解決しようとする問題点〕
　また、一般に撮像装置においては撮像素子の出力レベルが適正なレベルとなる様に一般に絞りを変化させたり、シャッター秒時を変化させている。そこで上述の電子ズーム機能を有する素子を用いたとき、ズーミングしても前述の絞り、シャッター、秒時の制御をズーミングにかかわりなく全体の信号を用いて行っている場合には種々の不都合が生じる。例えばかかるズーミングによって、明るい中心部分が拡大された際には画面全体が明るくなってしまい、反対に暗い中心部分が拡大された際には画面全体が暗くなってしまうという問題点があった。
　本発明はかかる問題点を解消して撮像素子の読み出し領域の変化にかかわりなく常に良好に撮像素子の出力する信号のレベルを制御することが出来る撮像装置を提供することを目的とする。
〔問題点を解決するための手段〕
　本発明の撮像装置は、光学像を電気的な画像信号に変換する撮像手段と、該撮像手段によって形成され読み出された画像信号をメモリに記憶し、この記憶された画像信号の内の画面中央の一部領域のみを選択するように、ズーム比の切換え指示に応じて前記メモリからの画像信号の読出しスタートアドレス位置を切換える選択手段と、
該選択手段によって選択された前記画面中央の一部領域の画像信号を拡大して表示するための表示手段と、
前記選択手段によって選択された前記画面中央の一部領域のみの画像信号に対応する領域の画像信号を前記メモリに入力される前の前記撮像手段出力からゲートし、このゲートされた画像信号に基づき前記選択手段によって選択された前記画面中央の一部領域の画像信号のレベルが適正レベルとなるように前記撮像手段を制御することによって、光学レンズによるズームアップと同様のズームアップ効果をメモリを用いて得ると共に適正レベルのズームアップ画面表示を得られるようにする制御手段と、を有する。
〔作用〕
　上記構成に於いて、設定する手段により設定された有効画面の映像信号に基づいて該信号のレベルになる様に調整される。
〔実施例〕
　次に本発明の実施例について説明する。
　以下図面を用いて本発明を詳述する。
　第１図は、本発明に関係するカメラの回路構成例を示すブロック図である。第１図において２は画像を取り込む撮像素子で例えばＣＣＤ　ＭＯＳ型が用いられる。１は撮像素子に２に入る光量を適正、即ち撮像素子の出力する映像信号のレベルが適正となる様に露光量を制御する絞り機構、３はゲインコントロール可能な第１のＡＧＣアンプ５のゲイン、及び絞りを制御する絞り制御回路４を制御する信号を出力する第１のＡＧＣ検知回路、尚ＡＧＣアンプ５は制御電圧入力端子ＣＯＮＴに入力される信号に基づいて増幅度が変化する。６はＡＧＣアンプ５の画像信号出力をアナログ値からデジタル値に変換するＡ／Ｄ変換回路、７はＡ／Ｄ変換回路６の出力を後述のタイミング発生回路８の出力するアドレスに応じて記憶するメモリーであるＲＡＭ、８は撮像素子２，ＲＡＭ７，ラッチ回路９，表示素子１３の駆動タイミング等を制御するタイミング発生回路、符号の順序は前後するが、１４は本発明における撮像素子の有効画面を設定する設定手段を編成するズーム比選択スイッチ、１５，１６は本実施例のカメラ内に装填される銀塩フイルムへの露光を制御するレリーズボタンに連動するスイッチ、９はＲＡＭ７から読み出された信号を一時的に蓄えるラッチ回路、１０はラッチ回路９の出力をアナログ値に変換するＤ／Ａ変換回路、１１はＤ／Ａ変換回路１０の出力レベルに応じて第２のＡＧＣアンプ１２のゲインをコントロールする信号をＯＵＴとして示した出力端子から出力する第２のＡＧＣ検知回路、１３は第２のＡＧＣアンプ１２の出力を可視画像として再生表示する表示素子であって、例えば、ＬＣＤパネルが用いられる。
　第３図は第１図に構成を示した撮像装置の外観を示す斜視図である。第３図において第１図と同じ機能を有する要素には同じ番号を記してある。第３図において３１はカメラ本体、３２はカメラ内に装填される銀塩フイルム上に被写体像を結像させるためのレンズ、３３は撮像素子２に被写体像を結像するレンズである、３４はカメラのレリーズボタンであり、第１のストロークの押下で第１図のスイッチ１５がオンとなり、さらに押し込むと第２のストロークの押下で第１図のスイッチ１６がオンとなる。
　次に第１図，第３図に示した例の動作を説明する。撮影者によりレリーズボタン３４の第１ストロークが押されると、第１図に示すスイッチ１５がオンとなり、タイミング発生回路８が動作を開始して撮像素子２，ＲＡＭ７，データラツチ９，表示素子１３が駆動され、撮像素子２は絞り機構１及びレンズ３３を介してその素子上に結像された画像を電気信号に変換し、取り込み画像データとして順次第１のＡＧＣ検知回路３及び第１のＡＧＣアンプ５に出力する。この画像信号は、内部に１画面分の画像信号を積分する機能を有する第１のＡＧＣ検知回路３によって画像の全体の輝度情報として出力される。この情報出力によって、明るすぎれば絞り制御回路４は、絞り機構１を制御して撮像素子２に入る光量を減少させる。さらにこの情報出力により第１のＡＧＣアンプ５はゲインを下げて適正な輝度に対応した画像信号としてＡ／Ｄ変換回路６に出力し、デジタル値がＲＡＭ７に記憶される。反対に撮像素子２の入射光量が少ない時は画像信号のレベルも低く、第１のＡＧＣ検知回路３は入射光量が不足していることを示す信号を出力し、この信号により絞り制御回路４は絞り機構の開口が大きくなる様に制御し、撮像素子２に入る光量を多くする。また第１のＡＧＣアンプ５はゲインを高くして適正な輝度に対応する画像信号として出力する。
　ＲＡＭ７にはタイミング発生回路８によって後述する様に撮像素子２の各画素の出力が、該各画素に対応したメモリー番地（アドレス）に記録される。さらに記録する合間に表示素子１３の表示用の各画素に対応したメモリー番地（アドレス）から画像データを読み出し、ラッチ回路に９によってラッチし、Ｄ／Ａ変換回路１０によってアナログ信号として画像情報が第２のＡＧＣ検知回路１１に出力される。本例においてはＲＡＭ７から画像情報の読み出しを行うに際して読み出しアドレスを制御することにより、表示素子１３にズーミングされた画像を出力している。
　かかるズーム比選択スイッチ１４によるズーム比の設定としては例えば該スイッチ１４をオンする毎に表示素子１３に表示される像が第５図に示す様に変化する様に設定する方法がある。
　かかる第５図に示す方法においてはズーム比選択スイッチ１４をオンする毎に表示素子１３に表示される像が３５ｍｍ相当、５０ｍｍ相当、８０ｍｍ相当の像となる様に変化することになる。
　例えば、撮像素子用のレンズ３３として３５ｍｍ相当のレンズを使っている場合には、ＲＡＭ７からのデータの取り出しに際して該ＲＡＭ７の読み出しアドレスのインクリメントの仕方を表示素子１３の画素に対して、３／４あるいは２／５割合でインクリメントすることによって表示素子１３には、約５０ｍｍあるいは８０ｍｍ相当のレンズで撮影したことと同じ結果が得られることになる。勿論この場合読み出しのためのスタートアドレス及びエンドアドレスを予め画面中部分に設定することが必要である。このズーミングの為の読み出し番地の操作は、ズーム比選択ボタン１４によって設定された情報に応じてタイミング発生回路８により制御される。さらに撮影者がレリーズボタン３４を更に深く押し込むことによって第２のストロークでオンとなるスイッチ１６がオンとなり、レンズ３２とフイルムとの間に設けられたシャッターが動作し、銀塩フイルムが露光され写真が撮られる。同時に、タイミング発生回路８はＲＡＭ７への記録の為の書き込みを停止して、表示素子１３には常に同じ画面の１枚の画像情報が出力され、静止画が得られる。更に本例においては静止画を前述と同様にズーム比選択ボタン１４によって、タイミング発生回路８の読み出しアドレスを操作することにより表示素子１３に於けるズーミングが可能となる。
　ここで第１のＡＧＣ検知回路３は撮像素子２で得られる全ての画像データについて例えば積分を行って検出を行うので場合によってはズーミングされた表示素子１３上の画像の露出が不適正となる場合が発生する。例えば逆光シーンなど中心が背景に比し暗い場合は中心部にズーミングすると全体が暗くなったりするとか、反対に背景に比して中心が明るい場合、ズーミングにより全体が明るくなってしまい、非常に見憎くなってしまうことが生じる。
　　そこで、この問題を解決するため本例においては、Ｄ／Ａ変換回路１０のアナログ出力が入力される第２のＡＧＣ検知回路１１によって表示素子１３上に表示される画像の輝度を再度検出し、適正な輝度となるように第２のＡＧＣアンプ１２の制御電圧入力端子ＣＯＮＴの電圧を制御することによって、表示用の画像情報のゲインがコントロールしている。これによって表示素子１３ではズーミングに関係せず正しい輝度として表示されることになる。
　また、図示していないが銀塩フイルムの露出のコマにトリミング情報を記録することによって擬似ズーム可能となる。
　次に第２図を用いて第１図に於けるタイミング発生回路８の構成、動作について説明する。
　第２図において２１は、撮像素子２のＣＣＤの駆動パルスを発生する回路であり、垂直転送パルスφｖ、水平転送パルスφＨ等を発生している。２２はコントローラであり、それぞれの回路の同期をとりかつスイッチ１５，１６を検出している。２４はズーム比選択回路であり、スイッチ１４により入力されるズーミングの指示に応じて、読み出しアドレス発生回路２５のエンドアドレス及びスタートアドレスをプリセット端子ＰＲにセットしたり、該アドレス発生回路の出力アドレスをインクリメントするためのパルスのインクリメントタイミングを例えば前述した様に制御し、ＬＣＤ表示素子１３上にＲＡＭ７にある画像データのズーミングされる部分のデータを拡大して表示するために設けられている。２６は撮像素子２であるＣＣＤからの画像情報の画素に応じたＲＡＭ７の書き込みアドレス発生回路である。２７，２８はバストランシーバーであり、コントローラ２２からＲＡＭ７に出力されるライトイネイブル信号ＷＥに応じてバストランシーバー２７，２８のいずれかの出力アドレスが選択されるようになっている。即ち、例えばコントローラ２２から信号ＷＥがハイレベルとして出力されている時は書き込みアドレス発生回路２６からの書き込みアドレスがＲＡＭ７に送られて、ＲＡＭ７へＡ／Ｄ変換器６の出力が書き込まれ、一方反転ゲート２９によって読み出しアドレス発生回路２５からの読み出しアドレスはＲＡＭ７には送られないようになっている。
　上述した様な読み出しアドレス発生回路により行われるＲＡＭ７からの画像情報の読み出しについて第４図を用いて説明する。
　第４図は両角変換ボタン９の操作によってＲＡＭ７から画像信号が読み出される領域を示す図であり、ＲＡＭ７は水平方向にＦＦ（１６進数）、垂直方向にＦＦ（１６進数）のアドレスを有し、ＲＡＭ７中の画素は４桁のアドレス（上位２桁が垂直方向、下位２桁が水平方向のアドレスに対応する）で、示される。
　第４図中［　］で示した数字は各点のアドレスを示し、Ｘで示される領域外の矢印数字は夫々Ｘ，Ｙ，Ｚに示す領域の大きさを示す。Ｘ３５ｍｍで示される領域はズーム比選択スイッチ１４の操作によりズーミング指示がなされない場合に読み出される領域であり、Ｙ５０ｍｍで示される領域は５０ｍｍ相当の画角へのズーミング指示がなされた場合に読み出される領域であり、Ｚ８０ｍｍで示される領域は８０ｍｍ相当の両角のズーミング指示がなされた場合に読み出される領域である。また各領域は図中［　］内に示すアドレスで区切られている。
　即ち、例えば３５ｍｍ相当のズーミングの指示がなされた際には全アドレスの読み出しが行われる様にズーム比選択回路２４により読み出しアドレス発生回路２５のスタートアドレスが［００００］に設定され、５０ｍｍ相当のズーミングの指示がなされた際には［２６２６］へ、８０ｍｍ相当のズーミング指示がなされた際には［４９４９］に設定される。
　また同様にズーム比選択回路２４によりエンドアドレスが３５ｍｍ相当のズーミング指示の場合［ＦＦＦＦ］、５０ｍｍ相当のズーミング指示の場合［Ｄ９Ｄ９］、８０ｍｍ相当のズーミング指示の場合［Ｃ１Ｃ１］が読み出しアドレス発生回路２５にプリセットされる。尚、読み出しアドレス発生回路２５は該回路２５が発生している水平方向のアドレスが設定されたエンドアドレスのうち下位２桁に示される水平方向のアドレスに一致した場合、水平方向のアドレスをリセットして、垂直方向のアドレスをインクリメントする様に構成されている。
　第６図は本発明の実施例の構成を示すブロック図であり、第１図に対して静止画でのトリミングができないが構成を簡単にした例である。本実施例においては、４１として示したサンプル回路を設けたことを特徴としている。即ち、かかるサンプル回路４１はタイミング発生回路８′の出力に応じて画面中所定のエリアのみ即ちズーミングしたい領域の映像信号をＡＧＣ検知回路３′に出力する様なゲート機能を有する回路であって、かかる回路を設けることにより、第１図に示したＡＧＣ検知回路１１，ＡＧＣアンプ１２を設けることなく表示素子１３に表示されるべき領域に対応した映像信号に応じてのみ絞り機構１、あるいはＡＧＣアンプ５′の状態を変えて該映像信号のレベル調整が行われる様にすることが出来る。尚、第６図において第１図と同様の回路については同じ符号を付し、説明を省略するが、第６図に示されるＡＧＣ検知回路３′においては第１図に示したＡＧＣ検知回路３に比べてズーミングの度合いによっては時定数を若干変えた方が良い場合もあり得る。
　以上説明したように第１図の例においては撮像素子から得られた画像信号をＲＡＭ７に一旦記憶させ、ズーミングの指示に応じて該ＲＡＭから読み出すエリアを指定し、読み出された映像信号に対してＡＧＣをかける様にしていたが、本発明はこれに限らず、撮像素子に入射する光量を撮像素子自身の持つ電子シャッター機能を利用して制御する様にしてもよく、その両者のうち一方のみを用いたり、両者を組み合わせて用いたりしてもよい。
　また、露光量を変える方法としてはこの様にシャッターに依る方法に限らず、種々の方法が適用可能である。
　また、本実施例においてはモニタとしてＬＣＤを用いたが、これに限らず、他の表示素子を用いてもよい。
〔発明の効果〕
　以上説明した様に本発明に依ればメモリの有効画面の指定に応じて、該有効画面から得られた映像信号のレベルが適正なレベルになる様にメモリへの入力前に調整しているので、前述の指定にかかわらず、常に良好にレベルの調整を行うことが出来る。
【図面の簡単な説明】
第１図は本発明に関係するカメラの一例の構成を示すブロック図、
第２図は第１図に示したタイミング発生回路８の構成を示すブロック図、
第３図は第１図に構成を示した例の装置の外観を示す斜視図、
第４図は第１図，第２図に示したＲＡＭ７上においてズーミング指示がなされた際の読み出し領域を示す図、
第５図はズーム比選択スイッチの操作による表示素子１３上の表示形態の変化を示す図、
第６図は本発明の実施例の構成を示すブロック図である。
２……撮像素子
３……第１のＡＧＣ検知回路
５……第１のＡＧＣアンプ
１２……第２のＡＧＣアンプ
１１……第２のＡＧＣ検知回路